(57)【要約】【課題】  自動製氷機の保守・サービス時等において、常温でモータを動作させる場合であるが、常温ではサーモスタットは動作しないので、別の方法でモータを通電させる必要がある。この場合の手段として、一つは外部から制御可能なプッシュボタンスイッチを利用した回路を別途に設け、マイクロスイッチに関係なくモータを強制的に駆動させる方法、もう一つはモータ軸自身にすり割りを設け、ネジを回すドライバーでその軸を外力により回すことであるが、容易にできる方法を探すことである。【解決手段】  本発明では、カムの歯車部分とＶ溝部分とをラチェット機構で連結し、歯車部分とＶ溝部分を２体以上の構造とし、更に該歯車部分とＶ溝部分を弾力性のあるバネを介して、ラチェット部を圧接させて、回転の一方向は固定もう一方向は空転が可能となる構造とし、モータを駆動させずに外力でカムを回転してＶ溝部からマイクロスイッチのボタンをＯＮにする。【選択図】図１
2008008546.tif 000002
【特許請求の範囲】
【請求項１】
モータと歯車を介して連結された歯車の一部をカムとして使用して、そのカムにＶ溝を設け、そのＶ溝内でマイクロスイッチのボタンがフリーになることで電源回路が切断され、該マイクロスイッチに直列に接続されたモータの電源が遮断され、そのモータ停止位置が製氷待ち原点となる自動製氷装置において、カムの歯車部分とＶ溝部分とをラチェット機構で連結し、歯車部分とＶ溝部分を２体以上の構造とし、更に該歯車部分とＶ溝部分を弾力性のあるバネを介して、ラチェット部を圧接させて、回転の一方向は固定し、もう一方向は空転が可能となる構造とし、モータを駆動させずに外力でカムのＶ溝部のみを回転させることで、製氷待ち原点からのモータ動作を容易に行うことが出来ることを特徴とした自動製氷装置。
【発明の詳細な説明】
【技術分野】
【０００１】
本発明は、冷蔵庫の中に設置して、冷蔵庫内の冷気にて製氷する自動製氷装置に関する。
【背景技術】
【０００２】
本発明の自動製氷装置は、Ｖ溝を設けたカムをモータで駆動させ、このカムＶ溝にマイクロスイッチのボタンが落ち込みＯＦＦとし、そのマイクロスイッチの回路に直列に接続されたモータへの電源が遮断され、そこが製氷待ち原点となってモータが停止する。
本発明品が自動製氷装置であることから、この製氷待ち原点状態から製氷のために製氷皿に水が供給され、冷蔵庫内の冷気により水が氷になって製氷される。更に製氷が完了したと判断するのは、製氷皿の温度をサーモスタットが検知する。
【０００３】
製氷皿の温度が約−１０℃付近に達すると、マイクロスイッチの回路が切断されていても、サーモスタットがＯＮになりモータが通電され、製氷皿を暖めるヒータがＯＮし、製氷皿と氷を分離しやすくし、モータが駆動し排氷動作が行われる。排氷が終ると製氷皿の温度が上がりサーモスタットが切れ、更に原点に戻るとマイクロスイッチも切れるので、モータが停止し次の製氷待ちの原点状態となる。
【０００４】
【特許文献１】特開２００５−３２６０３５
【発明の開示】
【発明が解決しようとする課題】
【０００５】
本発明が解決しようとする課題とは、自動製氷機の保守・サービス時等において、常温でモータを動作させる場合であるが、常温ではサーモスタットは動作しないので、別の方法でモータを通電させる必要がある。この場合の手段として、一つは外部から制御可能なプッシュボタンスイッチを利用した回路を別途に設け、マイクロスイッチに関係なくモータを強制的に駆動させる方法、もう一つはモータ軸自身にすり割りを設け、ネジを回すドライバーでその軸を外力により回すことで、モータ軸の歯車を介してカムを回転させ、マイクロスイッチのボタンをＶ溝位置からずらし、モータに通電回路を供給するなどの方法が取られている。
しかし、プッシュボタンスイッチ用の回路を新たに設けることは、製造コストの増加や、部品スペースの課題が発生する。またモータ軸自身にすり割りを設け、ネジを回すドライバーでその軸を外力により回す方法は、外力の加え方により容易にモータの歯車を破損してしまう懸念がある。
【課題を解決するための手段】
【０００６】
本発明では、カムの歯車部分とＶ溝部分とをラチェット機構で連結し、歯車部分とＶ溝部分を２体以上の構造とし、更に該歯車部分とＶ溝部分を弾力性のあるバネを介して、ラチェット部を圧接させて、回転の一方向は固定もう一方向は空転が可能となる構造とし、モータを駆動させずに外力でカムのＶ溝部のみを回転させることで、モータ駆動時はラチェットによりカムの歯車部分とＶ溝部分とが一体となって回転し、マイクロスイッチのボタンがＶ溝に落ちる原点位置に達してモータが停止する。
他方、ラチェットが空転する方向に対しては、外部からカムのＶ溝部分だけを回せるので、マイクロスイッチのボタンが押し込まれる任意の位置への回転移動が容易に行え、モータに負荷を与えることなく通電状態にさせることが出来る。
尚、ラチェット部分は、お互いにばねにて押付けられており、一体となって回転する時の保持を確保する。また、カムは、外部に出ている製氷用の掻き出し棒と連結しているため、Ｖ溝のみを回転させる動作は、この掻き出し棒の操作により容易に行うことが出来る。
【発明の効果】
【０００７】
本発明により歯車とカム自体は２体以上の構造となるが、原形を単純にニ分割しただけなので材料費や部品スペースの増加にはならず、またモータに負荷を与えずにカムのＶ溝部のみを回転させることが出来るので、モータ軸自身にすり割りを設け、ネジを回すドライバーでその軸を外力により回す方法は、外力の加え方により容易にモータの歯車を破損してしまう事にに対する懸念が回避出来る。
【発明を実施するための最良の形態】
【０００８】
本発明を実施するための最良の形態は、図面と実施例を基に説明する。
【実施例１】
【０００９】
図1は本発明を実施した全体の図面である。機構部は筐体の中に収納されている。モータ1は減速機構を持ち、その出力軸には小歯車５が固定されている。その小歯車５と噛合いモータの動力を伝える大歯車４が排氷軸１３に固定される。製氷皿は筐体の外部に位置する。
【００１０】
図２は、本発明を実施した部分を組立て状態が見易く表現した図面である。特にＶ溝付きカムと歯車のラチェット機構による結合が理解できる。また結合を与圧用バネの位置も明確に表現した。
【００１１】
図３は電気回路を示す。（イ）は製氷待ち原点の状態の電気回路状態を示す。マイクロスイッチのボタンは、カムのＶ溝に落ちＯＦＦ状態にある。一旦この状態に入るとサーモスタットがＯＮするまでモータに電源が入らない。
【００１２】
図３も（ロ）に示す状態は、自動製氷装置の保守・点検・サービス等において、常温でモータを動作させる場合であるが、常温ではサーモスタットがＯＮする事は無いので、別の手段でモータに通電させる必要がある状態を示す。
【００１３】
この場合の手段として、一つは外部から制御可能なプッシュボタンスイッチを利用した回路を別途に設け、マイクロスイッチに関係無くモータを駆動させる方法である。他方はモータ出力軸にすり割を設けドライバーを溝に入れ、外力でカムを回すことである。
【００１４】
図３の（ハ）は製氷が完了したことをサーモスタットが感知し、スイッチがＯＮした事を示す。これでモータがＯＮしてヒータもＯＮになり、排氷動作に入る。
【図面の簡単な説明】
【００１５】
【図１】本発明を実施した実施例の詳細を示すアイソメ図である。
【図２】本発明を実施した全体図を示す。
【図３】動作を示す自動製氷装置の回路図を示す。
【符号の説明】
【００１６】
１    モータ
２    マイクロスイッチ
３    カムのＶ溝
４    大歯車
５    小歯車
６    ヒータ
７    サーモスタット
８    ヒーラーアラームスイッチ（満氷検知スイッチ）
９    ウオータスイッチ
１０    ウオータバルブ
１１    ラチェット機構部
１２    ラチェット与圧バネ
１３    排氷軸
１４    排氷爪
１５    製氷皿
１６    筐体
【図１】
2008008546.tif 000003
【図２】
2008008546.tif 000004
【図３】
2008008546.tif 000005